(57)【要約】【課題】北半球、南半球の何れでも簡単に使用することができる簡易方位計を提供することにある。【解決手段】本発明の簡易方位計における太陽位置表示部８は、北半球と南半球のそれぞれにおける太陽位置の移動に基づく北半球用太陽位置表示部８Ｎと南半球用太陽位置表示部８Ｎを有している。太陽位置表示部８はリング状に配設され、径方向に二等分する線を境として北半球用太陽位置表示部８Ｎと南半球用太陽位置表示部８Ｓが配設されている。北半球用太陽位置表示部８Ｎと南半球用太陽位置表示部８Ｓを使い分けることにより、北半球と南半球の何れでも同様の簡単な使用方法で使用することができる。【選択図】　図１
2004144692.tif 000002
【特許請求の範囲】
【請求項１】
方位を示す方位表示部と、
方位に対する太陽の位置を時刻に対応して示す太陽位置表示部と、を備え、
前記太陽位置表示部は、北半球における太陽位置の移動に基づいて設定された北半球用太陽位置表示部と、南半球における太陽位置の移動に基づいて設定された南半球太陽位置表示部とを有することを特徴とする簡易方位計。
【請求項２】
前記太陽位置表示部は、腕時計上面表示部に形成されていることを特徴とする請求項１記載の簡易方位計。
【請求項３】
前記太陽位置表示部は、リング状に配設され、径方向に二等分する線を境として北半球用太陽位置表示部と南半球用太陽位置表示部が配設されていることを特徴とする請求項１又は２記載の簡易方位計。
【請求項４】
前記北半球用太陽位置表示部及び南半球用太陽位置表示部はそれぞれ日中の１２時間における太陽位置を示す表示からなることを特徴とする請求項３記載の簡易方位計。
【発明の詳細な説明】
【０００１】
【発明の属する技術分野】
本発明は、太陽の位置から方位を知ることができる簡易方位計に関するものである。
【０００２】
【従来の技術】
従来のこの種の方位計としては、時計に組み込まれたものが多く、回転可能なベゼルに東西南北の方位表示を設けたものがあった。この時計においては、１２時間で１回転する１２時間針を太陽の方向に向けると、１２時間針が指す方向と文字板の中心と１２時位置とを結ぶ線が指す方向の中間の方向が南の方角になる。そこでベゼルを回転させて、その方角にベゼルの南を示す表示「Ｓ」を合わせると、おおよその全方位を知ることができるものであった（例えば、特許文献１参照）。
【０００３】
また、２４時間で１回転する２４時間針を設け、２４時間針を太陽の方向に向けると、文字板の１２時位置が北の方角を向くことを利用して方位を知ることができるようにした時計が広く使用されている。
【０００４】
【特許文献１】
英国特許第１，０９４，５５４号明細書
【０００５】
【発明が解決しようとする課題】
上記方位計あるいは方位表示機能を備えた時計において知ることができる南の方角や北の方角は、使用する場所が北半球であるか南半球であるかによって異なる。このため、固定した方位表示が設けられているものでは、北半球用の表示を有する方位計と南半球用の表示を有する方位計の２種類を用意しなければならなかった。また、ベゼルを回転させて所定の方向に特定の方位を合わせるものにおいては、北半球と南半球で使用方法を間違うことがあり、より簡単に使用方法を把握できるようにすることが求められていた。
【０００６】
本発明は、上記従来技術の課題に鑑みなされたもので、北半球、南半球の何れでも使用することができ、しかもより簡単に使用することができる簡易方位計を提供するものである。
【０００７】
【課題を解決するための手段】
本発明の簡易方位計は、請求項１に示すように、方位を示す方位表示部と、方位に対する太陽の位置を時刻に対応して示す太陽位置表示部と、を備え、前記太陽位置表示部は、北半球における太陽位置の移動に基づいて設定された北半球用太陽位置表示部と、南半球における太陽位置の移動に基づいて設定された南半球太陽位置表示部とを有するものとなっている。この簡易方位計における前記太陽位置表示部は、請求項２に示すように、腕時計上面表示部に形成されている。また、この簡易方位計における前記太陽位置表示部は、請求項３に示すように、リング状に配設され、径方向に二等分する線を境として北半球用太陽位置表示部と南半球用太陽位置表示部が配設されている。また、この簡易方位計における前記北半球用太陽位置表示部及び南半球用太陽位置表示部は、請求項４に示すように、それぞれ日中の１２時間における太陽位置を示す表示からなる。
【０００８】
【発明の実施の形態】
本発明の簡易方位計において、方位に対する太陽の位置を時刻に対応して示す太陽位置表示部は、北半球と南半球のそれぞれにおける太陽位置の移動に基づく北半球用と南半球用の太陽位置表示部を有している。この太陽位置表示部はリング状に配設され、径方向に二等分する線を境として北半球用太陽位置表示部と南半球用太陽位置表示部が配設されている。本発明の簡易方位計においては、この北半球用太陽位置表示部と南半球用太陽位置表示部を使い分けることにより、北半球と南半球の何れでも同様の簡単な使用方法で使用することができる。
【０００９】
【実施例】
以下図面に基づいて本発明の実施例を説明する。図１は本発明の一実施例に係る簡易方位計を示す正面図である。この簡易方位計は、腕時計の文字板、リング、ガラス内面又はベゼル等の腕時計上面表示部に形成されており、図１に示す実施例においては文字板２及び文字板外周のリング４の表面に形成されている。この簡易方位計は、北（Ｎ）、北北東（ＮＮＥ）、北東（ＮＥ）、東北東（ＥＮＥ）、東（Ｅ）、東南東（ＥＳＥ）、南東（ＳＥ）、南南東（ＳＳＥ）、南（Ｓ）、南南西（ＳＳＥ）、南西（ＳＷ）、西南西（ＷＳＷ）、西（Ｗ）、西北西（ＷＮＷ）、北西（ＮＷ）、北北西（ＮＮＷ）を示す文字による表示からなる方位表示部６と、方位に対する太陽の位置を時刻に対応する数字で示す太陽位置表示部８とを備えている。この方位表示部６と太陽位置表示部８は、共に同心のリング状に配置されている。
【００１０】
また、太陽位置表示部８は、図中３時−９時の線を境として１２時側に南半球用太陽位置表示部８Ｓを有し、６時側に北半球用太陽位置表示部８Ｎを有している。太陽は１時間当たり１５度移動するため、南半球用太陽位置表示部８Ｓは、３時位置から反時計方向に１時間当たり１５度の間隔で形成された「６」〜「１８」までの数字で構成されている。また、北半球用太陽位置表示部８Ｎは、３時位置から時計方向に１時間当たり１５度の間隔で形成された「６」〜「１８」までの数字で構成されている。尚、太陽位置の表示を６〜１８時の範囲に設定しているのは、もともと太陽が出ていない夜間の方位認識ができないものであるため、太陽が出ている日中だけの時刻に設定したものである。
【００１１】
また、文字板２には、太陽位置表示部８の南半球用太陽位置表示部８Ｓと北半球用太陽位置表示部８Ｎがそれぞれ南半球用と北半球用であることを示すための南半球（ＳＯＵＴＨＥＲＮ　ＨＥＭＩＳＰＨＥＲＥ）と北半球（ＮＯＲＴＨＥＲＮ　ＨＥＭＩＳＰＨＥＲＥ）の文字による使用地域表示部１０，１２が南半球用太陽位置表示部８Ｓと北半球用太陽位置表示部８Ｎにそれぞれ沿うように設けられている。
【００１２】
次に、図１に示す簡易方位計を使用した方位の認識について説明する。北半球において使用する場合、図２に示すように、北半球用太陽位置表示部８Ｎを使用する。即ち、時刻が１０時１０分であると、時計の指針軸が設けられた中心１４と北半球用太陽位置表示部８Ｎの表示「１０」をわずかに時計方向に過ぎたポイントＰとを結ぶ線１６の延長上に太陽１８が位置するように簡易方位計の向きを設定する。このように向けたときに方位表示部６は太陽１８の位置に対する方位を指し示す状態になるため、その表示から方位を知ることができる。
【００１３】
一方、南半球において使用する場合には、南半球用太陽位置表示部８Ｓを使用し、前述した使用方法と同様に、中心１４と時刻に一致する南半球用太陽位置表示部８Ｓのポイントとを結ぶ線を太陽の方向に向け、このときの方位表示部６の表示から方位を知ることができる。
【００１４】
図３及び図４は本発明に係る簡易方位計の他の実施例を示すものであり、図３は腕時計における回転可能なベゼル又は内リングからなる回転リング２０の正面図であり、図４は腕時計における表示部を覆うガラス３４の正面図である。この実施例においては、回転リング２０の表面に、前述した実施例と同じ構成からなる方位表示部２６と、南半球用太陽位置表示部２８Ｓ及び北半球用太陽位置表示部２８Ｎを有する太陽位置表示部２８が形成されている。また、前述した実施例においては文字板２の表面に形成していた地域表示部１０，１２を、この実施例においては回転リング２０の表面で、南半球用太陽位置表示部２８Ｓと北半球用太陽位置表示部２８Ｎの近傍に地域表示部３０，３２として形成している。また、ガラス３４の内面には、１２時位置に矢印３６、６時位置に位置合わせ用の線３８が設けられている。
【００１５】
図３及び図４に示す実施例においては、腕時計全体を回すのではなく、回転リング２０を回転させて太陽位置表示部２８における現在時刻に対応するポイントを太陽の方向へ向ける。このときに同じ回転リング２０上に設けられた方位表示部２６も回転し、その時刻における太陽位置に対応する方位を指し示すことになる。
【００１６】
また、ガラス３４内に固定表示された矢印３６が指し示す方向との関係で所望の方角を知ることも可能である。例えば、図５に示すように、スタート点ＡからＢ地点、Ｃ地点、Ｄ地点を経由して、スタート点Ａに戻る場合、はじめに、スタート点Ａに立ち、腕時計全体を回すことでガラス３４の矢印３６をＢ地点方向に合わせる。次に、このときの時刻が９時であると、矢印３６の向きはそのままにして回転リング２０を回し、北半球用太陽位置表示部２８Ｎ（又は南半球用太陽位置表示部２８Ｓ）における表示「９」を太陽の方向に向ける（腕時計の中心と表示「９」を結ぶ線の延長上に太陽が位置するようにする）。これにより方位表示部２６の表示と矢印３６の向きから南に対して９０度（西）の方向にＢ地点があることがわかる。このため、その方向を確認しつつ進むことによりＢ地点にたどり着くことができる。
【００１７】
Ｂ地点まで一定の速度で歩いて３時間かかったとすると、Ｂ地点にて矢印３６をＣ地点の方向へ向け、現在時刻（１２時）に一致する北半球用太陽位置表示部２８Ｎにおける表示「１２」を太陽の方向に向ける。このときの方位表示部２６の表示から、Ｃ地点が南の方向にあることがわかり、その方向へ進むことによりＣ地点に着くことができる。
【００１８】
Ｃ地点まで１時間かかったとすると、同様にして矢印３６をＤ地点の方向に向け、現在時刻（１３時）に一致する北半球用太陽位置表示部２８Ｎにおける表示「１３」を太陽の方向に向ける。これによりＤ地点が東の方向にあることがわかり、その方向へ進むことによりＤ地点に着くことができる。
【００１９】
Ｄ地点まで３時間かかったとすると、同様にして矢印３６をスタート点Ａの方向に向け、現在時刻（１６時）に一致する北半球用太陽位置表示部２８Ｎにおける表示「１６」を太陽の方向に向ける。これによりスタート点Ａが北の方向にあることがわかり、その方向を確認しつつ進むことによりスタート点Ａに戻ることができる。
【００２０】
また、図６に示すように、図１に示す実施例に回転リング４０を追加し、この回転リング４０に矢印等のマーク４２を設けることにより、上記のような所望の方角の特定を行うことを可能なように構成することもできる。例えば、はじめに、前述した使用方法に基づいて太陽位置表示部８と方位表示部６を使って方位を特定し、回転リング４０を回して向かう方向にマーク４２を向ける。これにより、進行方向の方角を知ることができる。
【００２１】
尚、各実施例においては簡易方位計を腕時計上面表示部に設けているが、懐中時計、あるいは携帯電話等の小型電子機器等に組み合わせることもできる。
【００２２】
【発明の効果】
本発明によれば、太陽位置表示部を北半球用太陽位置表示部と南半球用太陽位置表示部で構成しているので、使用する地域が限定されず、どこでも使用することができる。
【００２３】
また、南半球用太陽位置表示部ときた半球用太陽位置表示部を用いて方位を認識する使用方法が、共に同一の使用方法で且つ簡単であるため、何処でも簡単に取り扱うことができる。
【図面の簡単な説明】
【図１】本発明の一実施例に係る簡易方位計の正面図である。
【図２】図１に示す簡易方位計の使用方法を示す説明図である。
【図３】本発明の他の実施例に係る簡易方位計を示す正面図である。
【図４】図３に示す時計に組み付けられるガラスを示す正面図である。
【図５】図３及び図４に示す簡易方位計の使用方法を示す説明図である。
【図６】図１に示す簡易方位計に回転リングを追加した変更例を示す正面図である。
【符号の説明】
２　　　　　　　　　　　　文字板
４　　　　　　　　　　　　リング
６、２６　　　　　　　　　方位表示部
８、２８　　　　　　　　　太陽位置表示部
８Ｓ、２８Ｓ　　　　　　　南半球用太陽位置表示部
８Ｎ、２８Ｎ　　　　　　　北半球用太陽位置表示部
１０、１２、３０、３２　　使用地域表示部
【図１】
2004144692.tif 000003
【図２】
2004144692.tif 000004
【図３】
2004144692.tif 000005
【図４】
2004144692.tif 000006
【図５】
2004144692.tif 000007
【図６】
2004144692.tif 000008